(57)【要約】【課題】製造業体間の特殊機能を支援するための付加情報を貯蔵する記録媒体及び記録／編集装置とその方法を提供する。特殊機能を支援するための製造業体情報を再生する装置も提供する。【解決手段】記録装置が記録媒体の内容を変形したならば、その製造業体識別コードを記録すべきである。記録/再生装置は特殊機能のための自分の製造業体情報を使う前に記録媒体上の識別コードをチェックすべきである。これにより、製造業体情報項目が有効かどうかを判断するのにかかる時間を縮められる。【選択図】図６
2006244697.tif 000002
【特許請求の範囲】
【請求項１】
再記録できる記録媒体上にオーディオ、ビデオ及び／または情報データを具備する内容を記録及び／または編集する記録装置において、
内容と内容のための規格化された情報と製造業体の特殊機能を支援する製造業体情報とを生成する記録制御器を具備し、
製造業体情報は、
記録媒体の内容を記録及び／または編集した記録装置の製造業体の識別コード
を具備する
ことを特徴とする記録装置。
【請求項２】
オーディオ、ビデオ及び／または情報データを具備する内容を再生する再生装置において、
内容と内容のための規格化された情報と製造業体の特殊機能を支援する製造業体情報とを再生する再生制御器
を具備し、
製造業体情報は、
記録媒体の内容を記録及び／または編集した記録装置の製造業体の識別コード
を具備する
ことを特徴とする再生装置。
【発明の詳細な説明】
【技術分野】
【０００１】
本発明は、映像データの光記録及び/または再生(記録/再生)分野に係り(以下、'及び/または'は便宜上'/'に示す)、特に記録媒体と記録媒体の内容を変形した記録装置の製造業体情報を貯蔵する記録装置と製造業体特殊情報を有する記録装置及び/または再生装置とその方法に関する。
【背景技術】
【０００２】
一般の記録媒体の構造を一次元的に示す図１において、記録媒体全体のボリューム空間は、ボリューム＆ファイル構造部分と実際のデータが記録されている部分(ここではUsed Block #1、#2、#3と表記されている)よりなっている。実際のデータはプログラムまたはタイトルのような一定単位で編集により物理的に散在されて記録されうる。ボリューム＆ファイル構造には記録されているデータに対する一般の情報及び図２に示したようなファイルとディレクトリ構造部分に対する情報が記録されている。
図２は、再記録できる記録媒体を用いてオーディオ/ビデオ(A/V)データを記録再生する装置に採用されたファイルシステム上に存在するファイルを示している。ビットストリームファイルはA/V実際データが記録されているファイルを意味し、情報ファイルはビットストリームファイルに対する情報を有しているファイルを意味し、その他資源ファイルなどがある。
【０００３】
図３は、図２に示した情報ファイルの内容を示し、大きく製造業体間に共通の形式を有するビットストリームに対する情報の規格化した情報と、製造業体単独の形式を有し製造業体間で互換できない情報の製造業体特殊情報とに分類できる。
規格化した情報は、製造業体に関係なく共通の機能を有するための情報を含むことであって、互換性を維持するために必要な部分である。規格化した情報は、ビットストリームファイル内の特定タイトルの開始位置、特定時間間隔に当る位置情報などを有していて、ディスク記録装置、編集装置/再生装置ではビットストリームファイル内のどの位置に記録するか、どの位置から再生するかに対する情報を情報ファイルを通じて得、得られた情報に基づいてビットストリームファイルを読出して再生する。各製造業体情報は、一般に互換性が不要な各製造業体の特殊な機能を支援するために製造業体単独で使用するのに必要な情報である。
【０００４】
このような製造業体情報を使用する特殊機能の一例としては、ビットストリームファイル上で最後に再生された位置に対する情報を製造業体情報項目として記録して後で再びディスクを再生する場合、最後に再生された次の位置から自動に再生できるようにする機能などを挙げられる。もちろんこの特殊機能は、このような製造業体情報が支援できる記録媒体記録/再生装置でのみ支援される機能である。
ここで、製造業体情報の詳細内容を説明すれば、図３に示したように、例えば、製造業体情報項目nの個数情報などを有している製造業体情報ヘッダ、各製造業体情報項目の位置情報を有している同数の製造業体情報探索ポインタ(Manufacturer Information Search Pointer #1、...、Manufacturer Information Search Pointer #n)と各々の製造業体情報項目(Manufacturer Information Item #1、...、Manufacturer Information Item #n)より構成される。各製造業体の記録/再生装置は少なくとも一つの製造業体情報項目を有することが期待される。
【０００５】
実際に、製造業体情報項目の内容は、製造業体情報項目を生成した特定業体の記録/再生装置でのみ理解し活用できることであって、相異なる製造業体の記録/再生装置間では互換できない。
前述したように、製造業体単独の特殊機能のための情報は各製造業体間で互換できないので、A業体で生成された製造業体情報がある記録媒体をB業体で製造した記録/編集装置で別の記録/削除過程を遂行すれば、A業体の製造業体情報がもう有効でない恐れがある。ところが、製造業体情報はA業体の固有の情報であるため、A業体だけ情報が分析及び修正でき、B業体では製造業体情報が修正または管理できなくなるし、内容が更新された記録媒体が再びA業体の記録/再生装置で多く記録/再生される場合、A業体が設定した特殊機能のための情報の貯蔵された情報項目がもう有効でないため誤動作が発生する恐れがある。従ってA業体のディスク記録/編集装置では、製造業体情報を用いる前に製造業体情報が有効かどうかを常に点検すべきであるが、記録されているデータの量が多いほどその過程が複雑で長時間がかかる問題点があった。
【発明の開示】
【発明が解決しようとする課題】
【０００６】
前記問題点を解決するために、本発明の目的は、相異なる製造業体の記録/再生装置の特殊機能のための製造業体情報を貯蔵する記録媒体を提供することにある。
本発明の他の目的は、最後に記録媒体上に記録/削除を遂行した記録/再生装置の製造業体のための識別情報を貯蔵する記録媒体を提供することにある。
本発明のさらに他の目的は、記録媒体上に相異なる製造業体の記録/編集装置の特殊機能のための製造業体情報を貯蔵する記録/編集装置と方法を提供することにある。
【０００７】
本発明のさらに他の目的は、記録媒体上の記録/削除を遂行する記録/編集装置の製造業体のための識別情報を貯蔵する記録/編集装置と方法を提供することにある。
本発明のさらに他の目的は、記録媒体上に相異なる製造業体の記録/再生装置の特殊機能のための製造業態情報を用いる記録/再生装置と方法を提供することにある。
本発明のさらに他の目的は、製造業体が有効かどうかを判断するために、記録媒体上に記録/削除を最後に遂行した記録/編集装置の製造業体識別情報が記録/再生装置の製造業体の識別情報と同一かどうかをチェックする記録/再生装置と方法を提供することにある。即ち、二つの識別情報が同一であれば製造業体項目は有効で、そうでなければ製造業体情報項目は有効でなく全体のチェックが必要なことを示す。
【課題を解決するための手段】
【０００８】
上記の目的を達成するために、本発明は、再記録できる記録媒体上にオーディオ、ビデオ及び／または情報データを具備する内容を記録及び／または編集する方法において、記録媒体上で記録／編集を実行することによって記録媒体の内容を最後に変形した記録装置の製造業体の識別コードを記録する段階を含むことを特徴とする。
また、本発明は、記録媒体上に記録された製造業体情報を使用する記録／再生装置を伴って再記録できる記録媒体上にオーディオ、ビデオ及び／または情報データを具備する内容を記録／再生する方法において、記録／再生装置の製造業体特殊情報が有効であるか否かを判断するために、記録媒体の内容を最後に変形したデバイスの製造業体の識別コードと該記録／再生装置の製造業体識別コードとの一致性をチェックする段階を具備することを特徴とする。
また、本発明は、再記録できる記録媒体上に内容を記録する記録方法において、記録媒体上の内容を変形する段階と、記録媒体の内容を最後に変形した記録装置の製造業体を示す記録装置の製造業体識別コードを記録する段階とを具備することを特徴とする。
【０００９】
また、本発明は、記録媒体上の内容を変形する方法であって、記録媒体の内容を最後に変形した記録及び再生装置の製造業体を示す記録及び再生装置の製造業体識別コードを記録媒体上に記録する段階と、製造業体識別情報を読み出し、かつ、読み出された製造業体識別情報が記録及び再生装置の製造業体識別情報と一致するか否かに基づいて内容が有効であるか否かを判断し、かつ、もし該内容が有効であるならば、該内容を読み出す段階とを具備することを特徴とする。
また、本発明は、記録媒体の内容を最後に変形した装置の製造業体の製造業体識別コードが記録された記録媒体から内容を再生する再生方法において、製造業体識別コードを読み出す段階と、読み出された製造業体識別コードに基づいて、内容を読み出すか否かを判断する段階とを具備することを特徴とする。
【発明を実施するための最良の形態】
【００１０】
以下、添付した図面を参照して本発明に係る製造業体間の特殊機能を支援するための付加情報を貯蔵する記録媒体及び記録/編集装置の製造業体間の特殊機能を支援するための記録/再生装置並びにその方法の望ましい実施例を説明する。
図４は本発明が適用される光記録再生装置のブロック図であって、記録及び再記録できる記録媒体上にA/Vデータを記録/再生する装置の機能は大きく記録と再生とに分けられる。
記録時、A/Vコデック１１０は、入力されるA/V信号を所定の圧縮符号化体系により圧縮符号化する。ＤＳＰ(Digital Signal Processor)１２０はA/Vコデック１１０から供給されるA/Vデータを受けてＥＣＣ(Error Correction Code)処理のためのパリティデータを付加し、所定の変調体系により変調などを遂行する。高周波増幅器(ＲＦ−ＡＭＰと表記されている)１３０はＤＳＰ１２０から供給されるデータをＲＦ信号に変換する。ピックアップ部１４０は記録媒体を駆動させ、ＲＦ−ＡＭＰ１３０からのＲＦ信号に対応するデータを記録媒体に記録し、集束及びトラッキングを行なうためのアクチュエータを内蔵している。サーボ部１５０は、ＲＦ−ＡＭＰ１３０とシステムコントローラ１６０からサーボ制御に必要な情報を受けて安定したサーボを遂行する。システムコントローラ１６０はシステム全体を制御しながらA/Vデータを記録媒体上に記録するように制御し、圧縮されたデータに対する大きさ情報と位置情報を含む情報だけでなく特殊機能、記録または編集を遂行した記録/編集装置に対する製造業体情報を記録する。また、システムコントローラ１６０は、記録媒体を最後に接近して記録/編集機能を遂行した記録/編集装置に対する識別情報を用いて記録媒体に記録されている製造業体情報が有効かどうかを判断し、判断された製造業体情報を用いて記録/編集動作を制御する。
【００１１】
再生時、ピックアップ部１４０はデータを貯蔵している記録媒体からピックアップした光学信号を提供する。ＲＦ−ＡＭＰ１３０は光学信号を電気的信号に変換し、サーボを行なうためのサーボ信号と変調されたデータを抽出する。ＤＳＰ１２０はＲＦ−ＡＭＰ１３０から供給される変調されたデータを変調時使用した変調体系に対応して復調し、ＥＣＣを遂行してエラーを訂正し、パリティデータを除去する。サーボ部１５０は、ＲＦ−ＡＭＰ１３０とシステムコントローラ１６０からサーボ制御に必要な情報を受けて安定したサーボを遂行する。A/Vコデック１１０はＤＳＰ１２０から供給される圧縮されたA/Vデータを復号化してA/V信号を出力する。システムコントローラ１６０は、使用者のキー入力を処理する等、使用者インタフェースを遂行しながら、記録媒体上に記録されている情報を用いてデータを再生するためにシステム全体を制御する。
また、システムコントローラ１６０は、記録媒体を最後に接近して記録/編集機能を遂行した記録/編集装置に対する識別情報を用いて記録媒体に記録されている製造業体情報が有効かどうかを判断し、製造業体情報を用いて再生動作を制御する。
【００１２】
図５は本発明に係る製造業体特殊機能のための製造業体情報ヘッダに含まれる詳細内容を示したテーブルの一例であって、製造業体情報の個数に対する情報のMNFI_Ns、記録媒体上の内容を最後に変形した記録/編集装置の製造業体を示す製造業体識別コードLAST_MN、記録媒体上の内容を最後に変形した記録/編集装置の製品モデルを示す製品コードLAST_PROD、ディスク記録/編集装置で遂行した動作、例えば単純再生を除外した記録、編集、消去、特殊機能などの記録媒体上のA/Vビットストリームデータや再生情報等に修正が加わった動作に対する情報を所定コードで示す動作コードOP_CDより構成できる。
製造業体識別コードは相異なる製造業体間を区別するためのことであって、各業体別に固有値を有することが期待される情報である。相異なる製造業体が同名を有することはほとんどないので、製造業体の名の簡単なテキストデータが使われうる。動作コードは、相異なる製造業体間にも理解されるべきなので、互換性を有するコードである。このような情報を、記録媒体を接近して記録/編集を遂行した記録/編集長ごとに製造業体情報ヘッダに記録することによって、記録媒体を最後に接近して記録/編集を遂行した記録/編集装置に対する情報と遂行した動作に対する情報を提供することになる。ただ、単純再生だけ行う場合にはこの製造業体情報ヘッダに記録しない。
【００１３】
前記のようなデータ構造を用いて製造業体情報を使用する例を挙げれば次の通りである。例えばA業体で製造業体情報項目を生成して記録媒体に記録したが、B業体で製造したディスク記録/編集装置で記録媒体を編集する場合が発生できる。この場合、B業体の記録/編集装置では、ディスクをエゼクトする前に記録媒体に製造業体のBに対するコード、記録/編集装置の製品コードと編集動作を行ったという情報を示す動作コードとを、図5に示したように製造業体情報ヘッダに記録する。
すると今後、再びA業体の記録、編集/再生装置で記録媒体上に記録されたデータを製造業体情報項目を用いて再記録、編集/再生しようとする場合には、まず製造業体情報ヘッダにある最後に記録媒体を使用した製造業体に対する識別情報、記録/編集装置の製品情報及び遂行した動作の情報を読出して記録、編集/再生時用いようとする製造業体情報項目が有効かどうかを判断する。
もし、最後に記録媒体を変形した製造業体を識別する記録媒体上に記録されている製造業体識別コードが該記録/編集/再生装置の製造業体識別コードと一致すれば、該製造業体情報項目が有効なことと判断し、記録媒体上に記録された製造業体識別コードと該製造業体識別コードが一致しなければ記録媒体上の全体内容を分析して用いようとする製造業体情報項目が有効かどうかを判断すべきである。製造業体情報項目が有効であればこの製造業体情報項目を用いればよい。
【００１４】
また、最後に記録媒体を変形した記録/編集装置が現在の記録/編集装置であり、最後に編集動作を遂行したら記録/編集された内容に当る製造業体情報項目の内容を把握して記録/編集動作に従って製造業体情報項目が更新できるので、以後製造業体情報項目が有効だと容易に判断できて、製造業体情報項目が有効かどうか判断するのにかかる時間を縮めることができる。ここでも製造業体情報項目が有効であれば、この製造業体情報項目を用いて記録、編集/再生できる。
図６は本発明に係る製造業体情報ヘッダの他の例である。図６において、製造業体情報の数を示すMNFI_Ns、製造業体情報の最後のアドレスを示すMNFIT_EA、A/V内容を最後に変形した製造業体の識別コードを示すLAST_MN、A/V内容を最後に変形した製品コードを示すLAST_PROD、製造業体情報テーブル数に当る製造業体コードを示すMN_CD、各製造業体の製品情報項目を示すPROD_CD、個々の情報のための別のファイルを示すFILE_NAME、記録時間を示すREC_TMなどが貯蔵されうる。MN_CD、PROD_CD、FILE_NAME及び/またはREC_TMは各製造業体情報項目の開始部分に記録されうる。
【００１５】
製造業体情報のサイズを制限するためにMNFI_Nsは、情報の最大個数を例えば5つとし、最大情報個数を超過した製造業体情報項目を貯蔵する時は、一例として最古情報の順番に削除できる。製造業体情報項目が削除される時、もし製造業体情報項目が別のファイルを有すればこのファイルもまた削除されるべきである。記録/編集装置が記録媒体の内容を変形させ、その自分の製造業体情報項目を有している時、該製造業体情報のみ更新され、残りの製造業体情報項目は残るべきである。記録/編集装置が記録媒体の内容を変形させ、その自分の製造業体情報項目を有していない場合でも記録媒体を変形した製造業体識別コードは記録されるべきである。
【００１６】
MNFIT_EAは、例えば、製造業体情報ヘッダの最初のバイト位置から相対的なブロック番号RBN(Relative Block Number)を有する製造業体情報の最後のアドレスである。LAST_MNは最後のA/V内容が変形された製造業体識別コードを示し、記録/編集装置がその記録/編集装置のための製造業体情報を有していなくても、A/V内容が記録/編集装置により変形されれば必ず記録すべき必須事項である。LAST_PRODは前記の製造業体により作られ、最後にA/V内容が変形された製品コードを示し、記録/編集装置がその記録/編集装置のための製造業体情報項目を有していなくても記録/編集装置がA/V内容を変形すれば必ず記録すべき必須事項である。ここで、製造業体識別コードは各製造業体別に区分されるべきなので製造業体別に固有値を有することが望ましい。また、ある製造業体で多様な製品がありえるので、製造業体はその製品コードを管理することが進められる。
【００１７】
即ち、実際のA/V内容に関した情報とA/V内容を一致させるためにA/V内容を変形したセットは、自体的に製造業体情報がなくても製造業体情報ヘッダの識別コードフィールドLAST_MNに製造業体識別情報を記録すべきである。また、あるセットにディスクが挿入される時には、実際のA/V内容と記録媒体上のA/V内容に関した製造業体の特殊な製造業体情報項目が同一かどうかを必ずチェックすべきであるが、一番速くて容易な方法は最後に記録媒体を変形した製造業体の識別コードをチェックすることである。A/V内容が他の製造業体装備により変形された時、情報を変形したり更新することは該セットがすべきである。
製造業体と製品の属する各製造業体情報項目を知らせるために、MN_CDとPROD_CDは製造業体情報項目が貯蔵されている項目数だけの製造業体コードとその製品コードである。製造業体製品のための情報が別のファイルに存在する場合、FILE_NAMEはそのファイルの名前であり、もしファイルがなければこの場合のための特定な値に満たされ、REC_TMは情報が記録される時の記録時間を示す。MN_CD、REC_TM、PROD_CD、FILE_NAMEは各製造業体情報項目の開始部分に記録されうる。
【００１８】
図７は本発明に係る製造業体情報探索ポインタの内容を示すテーブルであって、製造業体情報項目の開始アドレスを示すMNFI_SAを含み、このMNFI_SAは、例えば、製造業体情報ヘッダの最初のバイトからRBNを有する製造業体項目の開始アドレスである。
図８は本発明に係る製造業体情報項目の内容を示すテーブルであって、可変長のバイトを有するが、情報の最大サイズは、例えば10キロバイト(KB)である。情報の大きさが10KBを超過すれば製造業体特殊情報ファイルが使われうる。
【００１９】
〔発明の効果〕
前述したように、本発明はA/Vデータ、A/Vデータを記録/再生する時に使うために規格化した情報、規格化した情報を用いて実現できない製造業体の特殊機能を支援するための製造業体情報を含む記録媒体を提供する。また、製造業体情報は多数の製造業体情報項目を支援するために提供され、製造業体情報は記録媒体の内容を最後に変形した製造業体の識別コードを含む。この情報は、製造業体の特殊な製造業体情報項目が他の製造業体装備により記録/編集/再生される時、自分の製造業体情報項目の有効性をチェックする時に使われうる。製造業体情報項目が有効かどうかを判断するのにかかる時間を縮められる。
【図面の簡単な説明】
【００２０】
【図１】一般の記録媒体の一次元構造を示す図面である。
【図２】図１に示したファイル構造を示す図面である。
【図３】図２に示した情報ファイルの内容を示す図面である。
【図４】本発明が適用される光記録再生装置のブロック図である。
【図５】本発明に係る製造業体の特殊機能を支援するための製造業体情報ヘッダの詳細内容を示す一例のテーブルである。
【図６】本発明に係る製造業体情報ヘッダの詳細内容を示す他の例のテーブルである。
【図７】本発明に係る製造業体情報探索ポインタの内容を示すテーブルである。
【図８】本発明に係る製造業体情報項目の内容を示すテーブルである。
【符号の説明】
【００２１】
１１０  Ａ／Ｖコデック
１２０  ＤＳＰ
１３０  高周波増幅器（ＲＦ−ＡＭＰ）
１４０  ピックアップ部
１５０  サーボ部
１６０  システムコントローラ
【図１】
2006244697.tif 000003
【図２】
2006244697.tif 000004
【図３】
2006244697.tif 000005
【図４】
2006244697.tif 000006
【図５】
2006244697.tif 000007
【図６】
2006244697.tif 000008
【図７】
2006244697.tif 000009
【図８】
2006244697.tif 000010